(57)【要約】【課題】記録メディアに記録された医用画像データと患者との整合性を確保することである。【解決手段】本発明に係る医事会計端末１によれば、会計時において、記録メディアＭに記録された医用画像データの付帯情報に含まれる患者情報の予め定められた項目の情報と、患者情報ＤＢ１５１から読み出した会計対象患者の患者情報の対応する項目の情報との比較照合を行い、比較照合結果を表示部１３に表示する。【選択図】図３
2009020586.tif 000002
【特許請求の範囲】
【請求項１】
患者情報を蓄積記憶する患者情報記憶手段と、
付帯情報を含む医用画像データが記録された可搬型記録媒体から前記付帯情報に含まれる患者情報を読み出す読出手段と、
会計対象患者の患者情報を前記患者情報記憶手段から検索して読み出す検索手段と、
前記読出手段により前記会計対象患者に提供する可搬型記録媒体から読み出された患者情報と前記検索手段により検索された前記会計対象患者の患者情報とを比較照合する比較照合手段と、
前記比較照合手段による比較照合結果を表示する表示手段と、
を備える医事会計端末。
【請求項２】
前記可搬型記録媒体は、表面に患者情報を示す二次元コードを有し、
前記二次元コードを読み取る読取手段を備え、
前記比較照合手段は、前記読出手段により読み出された患者情報と、前記検索手段により検索された前記会計対象患者の患者情報と、前記読取手段により読み取られた患者情報とを比較照合する請求項１に記載の医事会計端末。
【請求項３】
付帯情報を含む医用画像データを蓄積記憶する画像サーバと、医事会計端末とが接続された医用情報システムであって、
前記画像サーバは、
前記医事会計端末への送信対象となる医用画像データを指定入力するための指定手段と、
前記指定された医用画像データを前記医事会計端末に送信する送信手段と、を備え、
前記医事会計端末は、
前記画像サーバから送信された医用画像データを受信する受信手段と、
患者情報を蓄積記憶する患者情報記憶手段と、
会計対象患者の患者情報を前記患者情報記憶手段から検索して読み出す検索手段と、
前記受信手段により受信された医用画像データの付帯情報に含まれる患者情報と前記検索手段により検索された前記会計対象患者の患者情報とを比較照合する比較照合手段と、
前記比較照合の結果、前記受信された医用画像データの付帯情報に含まれる患者情報と前記検索手段により検索された前記会計対象患者の患者情報とが一致する場合に、前記医用画像データを可搬型記録媒体に書き込む書き込み手段と、
を備える医用情報システム。
【請求項４】
前記画像サーバは、前記指定された医用画像データを前記可搬型記録媒体に書き込む際のイメージファイルに変換する変換手段を備え、
前記送信手段は、前記指定された医用画像データをイメージファイルで前記医事会計端末に送信する請求項３に記載の医用情報システム。
【発明の詳細な説明】
【技術分野】
【０００１】
本発明は、医事会計端末及び医用情報システム
【背景技術】
【０００２】
従来から、医用画像を医療施設間で相互利用する画像連携が行われている。近年、医用画像のデジタル化が進み、画像連携はフィルムによる連携から医用画像データによる連携に移りつつある。医療施設間の医用画像データの移送は、通信ネットワークを介して行う方法と、ＭＯ（Magnet Optical）ディスクやＣＤ−Ｒ（Compact Disk Recordable）等の各種可搬型記録媒体（以下、記録メディアという）を患者自身が持参して行う方法がある。
【０００３】
記録メディアに医用画像データを記録する際のデータ構造は、ＩＨＥ（Integrating the Healthcare Enterprise）及びＩＨＥ−ＪのＰＤＩ（Portable Data for Imaging）によって定められ、標準化が図られている。また、医用画像データを各種メディアに記憶する技術としては、医師により所見が作成された医用画像データをメディアに記録する技術が知られている（特許文献１参照）。
【特許文献１】特開２００２−１５３４２７号公報
【発明の開示】
【発明が解決しようとする課題】
【０００４】
ＰＤＩによれば、医用画像データはＤＩＣＯＭ（Digital Imaging and Communication in Medicine）形式のファイルで記録メディアに記録される。即ち、医用画像データには、患者情報や検査（撮影）日、検査部位等の検査情報を始めとする付帯情報が含まれている。また、記録メディアには、ＪＰＥＧ形式又はＢＭＰ形式等の、付帯情報を持たない医用画像データも記録することができる。
【０００５】
しかしながら、医師がＪＰＥＧ形式やＢＭＰ形式の医用画像データを参照する場合、患者の付帯情報は表示されない。そのため、医師が画像診断する際に、記録メディアに記録された医用画像データが患者本人のものであるか否かを判別しにくい場合があった。
【０００６】
本発明の課題は、記録メディアに記録された医用画像データと患者との整合性を確保することである。
【課題を解決するための手段】
【０００７】
上記課題を解決するため、請求項１に記載の医事会計端末は、
患者情報を蓄積記憶する患者情報記憶手段と、
付帯情報を含む医用画像データが記録された可搬型記録媒体から前記付帯情報に含まれる患者情報を読み出す読出手段と、
会計対象患者の患者情報を前記患者情報記憶手段から検索して読み出す検索手段と、
前記読出手段により前記会計対象患者に提供する可搬型記録媒体から読み出された患者情報と前記検索手段により検索された前記会計対象患者の患者情報とを比較照合する比較照合手段と、
前記比較照合手段による比較照合結果を表示する表示手段と、
を備える。
【０００８】
請求項２に記載の発明は、請求項１に記載の発明において、
前記可搬型記録媒体は、表面に患者情報を示す二次元コードを有し、
前記二次元コードを読み取る読取手段を備え、
前記比較照合手段は、前記読出手段により読み出された患者情報と、前記検索手段により検索された前記会計対象患者の患者情報と、前記読取手段により読み取られた患者情報とを比較照合する。
【０００９】
請求項３に記載の発明は、
付帯情報を含む医用画像データを蓄積記憶する画像サーバと、医事会計端末とが接続された医用情報システムであって、
前記画像サーバは、
前記医事会計端末への送信対象となる医用画像データを指定入力するための指定手段と、
前記指定された医用画像データを前記医事会計端末に送信する送信手段と、を備え、
前記医事会計端末は、
前記画像サーバから送信された医用画像データを受信する受信手段と、
患者情報を蓄積記憶する患者情報記憶手段と、
会計対象患者の患者情報を前記患者情報記憶手段から検索して読み出す検索手段と、
前記受信手段により受信された医用画像データの付帯情報に含まれる患者情報と前記検索手段により検索された前記会計対象患者の患者情報とを比較照合する比較照合手段と、
前記比較照合の結果、前記受信された医用画像データの付帯情報に含まれる患者情報と前記検索手段により検索された前記会計対象患者の患者情報とが一致する場合に、前記医用画像データを可搬型記録媒体に書き込む書き込み手段と、
を備える。
【００１０】
請求項４に記載の発明は、請求項３に記載の発明において、
前記画像サーバは、前記指定された医用画像データを前記可搬型記録媒体に書き込む際のイメージファイルに変換する変換手段を備え、
前記送信手段は、前記指定された医用画像データをイメージファイルで前記医事会計端末に送信する。
【発明の効果】
【００１１】
請求項１に記載の発明によれば、可搬型記録媒体に記録された医用画像データの付帯情報に含まれる患者情報が会計対象の患者の患者情報と一致しているか否かを会計時にオペレータが確認した上で、可搬型記録媒体を会計対象の患者に渡すことができるので、可搬型記録媒体に記録された医用画像データと患者との整合性を確保することが可能となる。
【００１２】
請求項２に記載の発明によれば、可搬型記録媒体に記録された医用画像データの患者情報と可搬型記録媒体の表面に印刷された二次元コードが示す患者情報との不一致を防止することができる。
【００１３】
請求項３に記載の発明によれば、会計対象の患者に対し、会計時に、その患者の患者情報と一致する患者情報を含む医用画像データを可搬型記録媒体に書き込んで渡すことができるので、可搬型記録媒体に記録された医用画像データと患者との整合性を確保することが可能となる。
【００１４】
請求項４に記載の発明によれば、画像サーバ側で医用画像データを予めイメージファイルに変換して医事会計端末に送信するので、会計時における可搬型記録媒体への医用画像データの書き込みに係る処理を迅速に行うことが可能となる。
【発明を実施するための最良の形態】
【００１５】
〔第１の実施の形態〕
以下、図を参照して本発明の第１の実施の形態について説明する。
本発明を適用した医事会計端末１は、図１に示すように、医療施設（病院Ａとする）に設置される。医事会計端末１は、画像サーバ２において医用画像データが書き込まれた記録メディアＭを他の医療施設（病院Ｂとする）に移送する前に、患者との整合性を確認する機能を有する。
【００１６】
（医事会計端末１の構成）
図２に、本実施の形態における医事会計端末１の機能構成例を示す。図１に示すように、医事会計端末１は、制御部１１、操作部１２、表示部１３、通信部１４、記憶部１５、メディアドライブ１６、二次元コードリーダ１７、プリンタ１８等を備えて構成され、各部はバス１９により接続されている。
【００１７】
制御部１１は、ＣＰＵ（Central Processing Unit）、ＲＯＭ（Read Only Memory）、ＲＡＭ（Random Access Memory）等により構成される。制御部１１のＣＰＵは、操作部１２の操作に応じて、ＲＯＭに記憶されているシステムプログラムや、会計時処理プログラムを始めとする各種処理プログラムを読み出してＲＡＭ内に展開し、展開されたプログラムに従って医事会計端末１各部の動作を集中制御し、後述する会計時処理を始めとする各種処理を実行する。
【００１８】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。
【００１９】
表示部１３は、ＬＣＤ（Liquid Crystal Display）やＣＲＴ（Cathode Ray Tube）等のモニタにより構成され、制御部１１から入力される表示信号の指示に従って、各種データや入力画面、比較照合結果等を表示する。
【００２０】
通信部１４は、ＬＡＮアダプタ、ルータ、ＴＡ（Terminal Adapter）等を備え、ＬＡＮ（Local Area Network）等の通信ネットワークＮに接続された各装置とデータの送受信を行う。
【００２１】
記憶部１５はハードディスク等の記憶装置で構成される。記憶部１５は、患者情報記憶手段として患者情報ＤＢ（Data Base）１５１を記憶している。患者情報ＤＢ１５１は、来院した患者の患者ＩＤ、患者氏名（漢字）、患者氏名（カナ）、生年月日、性別、コメント、患者病歴、アレルギー、保険証番号、家族情報等の患者情報を蓄積記憶する。患者ＩＤは、患者を一意に特定するための情報であり、患者登録時に発行される。
【００２２】
メディアドライブ１６は、ＣＤ−ＲやＤＶＤ−Ｒ（Digital Versatile Disk Recordable）、ＭＯディスク等の可搬型の記録メディアＭに対しデータの読み出し又は書き込みを行う装置である。
【００２３】
二次元コードリーダ１７は、ＣＣＤ（Charged Coupled Device）スキャナ、レーザスキャナ等により構成され、画像サーバ２で記録メディアＭの表面に印刷される二次元コードを光学的に読み取って、得られたコードデータを解読、デコード処理して制御部１１に出力する。
【００２４】
プリンタ１８は、例えば、インクジェットプリンタ等であり、制御部１１の指示に従って、領収証や処方箋等の印刷を行う。
【００２５】
（画像サーバ２の構成）
画像サーバ２は、病院ＡにおいてＣＴ（Computed Tomography）装置、ＣＲ（Computed Radiography）装置、ＭＲＩ（Magnetic Resonance Imaging）装置等の各種モダリティで撮影された医用画像データを保存・管理する装置である。
【００２６】
図３に、本実施の形態における画像サーバ２の機能構成例を示す。図３に示すように、画像サーバ２は、制御部２１、操作部２２、表示部２３、通信部２４、記憶部２５、メディアドライブ２６、プリンタ２７等を備えて構成され、各部はバス２８により接続されている。
【００２７】
制御部２１は、ＣＰＵ、ＲＯＭ、ＲＡＭ等により構成される。制御部２１のＣＰＵは、操作部２２の操作に応じて、ＲＯＭに記憶されているシステムプログラムや、各種処理プログラムを読み出してＲＡＭ内に展開し、展開されたプログラムに従って画像サーバ２各部の動作を集中制御し、各種処理を実行する。
【００２８】
例えば、制御部２１は、操作部２２により医用画像ＤＢ２５１に記憶されている中から記録メディアＭへの書き込み対象とする医用画像データが指定されると、イメージファイル変換プログラムを読み出して、指定された医用画像データをイメージファイルに変換し、変換されたイメージファイルをメディアドライブ２６により記録メディアＭに書き込む。イメージファイルは、医用画像データをＩＨＥ及びＩＨＥ−ＪのＰＤＩによって定められたデータ構造で記録メディアＭに書き込む際のイメージファイルであり、例えば、Ｉｎｓｔａｎｔ  ＣＤ／ＤＶＤイメージ等である。
また、制御部２１は、操作部２２により記録メディアＭのラベル作成の指示が入力されるとともに記録メディアＭに書き込んだ医用画像データが指定されると、指定された医用画像データの付帯情報に含まれる患者情報のうち予め定められた項目の情報（例えば、患者ＩＤ、患者氏名、性別、生年月日等）を示す二次元コードを生成し、プリンタ２７により記録メディアＭの表面に印刷させる。
【００２９】
操作部２２は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。
【００３０】
表示部２３は、ＬＣＤやＣＲＴ等のモニタにより構成され、制御部２１から入力される表示信号の指示に従って、操作部２２からの入力指示やデータ等を表示する。
【００３１】
通信部２４は、ＬＡＮアダプタ、ルータ、ＴＡ（Terminal Adapter）等を備え、通信ネットワークＮに接続された各装置とデータの送受信を行う。
【００３２】
記憶部２５はハードディスク等の記憶装置で構成される。記憶部２５は、医用画像ＤＢ（Data Base）２５１を有する。医用画像ＤＢ２５１は、病院ＡにおいてＣＴ装置、ＣＲ装置、ＭＲＩ装置等の各種モダリティで撮影された医用画像データを記憶する。医用画像データは、実データ部と付帯情報を書き込んだヘッダ部を有するＤＩＣＯＭ形式で記憶されている。付帯情報は、医用画像データに関する情報であり、例えば、患者情報及び検査情報を含む。患者情報は、患者ＩＤ、患者氏名、生年月日、性別等の複数項目の情報を含んで構成される。検査情報は、検査ＩＤ、検査日、検査部位等の複数項目の情報を含んで構成されている。
【００３３】
メディアドライブ２６は、ＣＤ−ＲやＤＶＤ−Ｒ、ＭＯディスク等の可搬型の記録メディアＭに対しデータの読み出し又は書き込みを行う装置である。
【００３４】
プリンタ２７は、例えば、インクジェットプリンタ等であり、制御部２１の指示に従って、記録メディアＭ表面に患者情報を示す二次元コード等の印刷を行う。
【００３５】
（病院Ａにおける処理の流れ）
次に、医事会計端末１を備えた病院Ａにおいて、患者の来院から患者に記録メディアＭを提供するまでの処理の流れの一例について説明する。処理は、（１）〜（９）の流れで行われる。
【００３６】
（１）受付のオペレータは、患者から保険証を受領し、患者の患者ＩＤを特定して診察室に診察依頼を行う。新規患者の場合は、保険証等を参照し、患者情報ＤＢ１５１に患者情報を登録する。
（２）診察室において、医師により患者の診察を行う。
（３）診察の結果、必要であれば、放射線科等に検査依頼を行い、検査を実施する。検査によりモダリティ（図示せず）取得された医用画像データは、画像サーバ２の医用画像ＤＢ２５１に保存される。
（４）検査により取得された医用画像データを画像サーバ２の表示部２３に表示し、画像診断を行う。
（５）画像診断の結果、医師は他の医療施設（病院Ｂとする）での診断や治療が必要であると判断した場合、病院Ｂへ患者を紹介する。
（６）患者の医用画像データを医用画像ＤＢ２５１から検索し、検索された医用画像データをメディアドライブ２６により記録メディアＭに書き込む。また、医用画像データが記録された記録メディアＭ表面に患者情報を示す二次元コードを印刷する。
（７）患者の患者ＩＤを指定して、その患者に関連した診察、検査、診断等の内容（カルテや処方箋等）及び記録メディアＭを会計に移送する。
（８）会計において、オペレータは、実施した診察、検査、診断等の内容を医事会計端末１に入力し、会計時処理を行う。このとき、記録メディアＭをセットし、記録メディアＭに記録された医用画像データの患者情報と会計のために患者情報ＤＢ１５１から読み出した患者情報との比較照合を併せて行う。
（９）患者に領収証や処方箋を渡すとともに、記録メディアＭを渡す。
【００３７】
（医事会計端末１の動作）
次に、医事会計端末１の動作について説明する。
図４に、操作部１２からの指示に応じて医事会計端末１の制御部１１により実行される会計時処理のフローを示す。
【００３８】
まず、表示部１３に会計対象患者の患者ＩＤの入力画面が表示され、操作部１２により患者ＩＤが入力されると（ステップＳ１）、入力された患者ＩＤと一致する患者情報が患者情報ＤＢ１５１において検索されて読み出される（ステップＳ２：検索手段）。読み出された患者情報は、表示部１３に表示されることが好ましい。
【００３９】
次いで、表示部１３に記録メディアの有無（患者に渡す記録メディアＭがあるか否か）を入力するための入力画面が表示され、操作部１２により「記録メディア有り」が入力されると（ステップＳ３；ＹＥＳ）、処理はステップＳ４に移行する。操作部１２により「記録メディアなし」が入力されると（ステップＳ３；ＮＯ）、処理はステップＳ９に移行する。
【００４０】
ステップＳ４においては、まず、表示部１３に「記録メディアをセットしてください」等のメッセージが表示され、メディアドライブ１６に記録メディアＭがセットされると（ステップＳ４）、記録メディアＭに記録されている医用画像データの付帯情報に含まれる患者情報（即ち、医用画像データの患者情報）が読出手段としてのメディアドライブ１６により読み出される（ステップＳ５）。
【００４１】
次いで、記録メディアＭから読み出された患者情報の予め定められた項目（例えば、患者ＩＤ、患者氏名、性別、生年月日等）の情報と、患者情報ＤＢ１５１から読み出された患者情報の対応する項目（項目名が一致する項目）の情報がそれぞれ比較照合される（ステップＳ６：比較照合手段）。そして、比較照合結果が表示部１３に表示される（ステップＳ７）。
比較照合の結果、全ての項目が一致した場合、例えば、「不一致の項目はありません。」等のメッセージが表示される。一致しない項目があった場合、例えば、「○○の項目が一致しません。記録メディアＭの内容を確認してください」等のメッセージが表示される。
【００４２】
次いで、会計処理へ移行するか否かを問い合わせる画面が表示され、操作部１２により会計処理へ移行する指示が入力されると（ステップＳ８；ＹＥＳ）、処理はステップＳ９に移行する。一方、操作部１２により会計処理への移行をキャンセルする指示が入力されると（ステップＳ８；ＮＯ）、本処理は終了する。例えば、記録メディアＭから読み出された患者情報と会計対象として読み出された患者情報との間で一致しない項目があった場合、会計処理への移行をキャンセルすることで、再度診察室に記録メディアＭを戻して記録メディアＭを作り直した後、会計時処理を再実行し、記録メディアＭの再チェックとともに会計処理をすることができる。
【００４３】
ステップＳ９においては、会計処理が実行される。即ち、会計対象患者に関連して実施した診察、検査、診断等の内容の入力画面が表示部１３に表示され、操作部１２により入力画面から入力された内容及びステップＳ２において患者情報ＤＢ１５１から読み出された情報に従って、会計計算、領収証、処方箋等の発行を含む会計処理が実行される。会計処理が終了すると、本処理は終了する。
【００４４】
以上説明したように、第１の実施の形態における医事会計端末１によれば、会計時において、記録メディアＭに記録された医用画像データの付帯情報に含まれる患者情報の予め定められた項目の情報と、会計のために患者情報ＤＢ１５１から読み出した患者情報の対応する項目の情報との比較照合を行い、比較照合結果を表示部１３に表示する。
【００４５】
従って、記録メディアＭに記録された医用画像データの患者情報が会計対象の患者の患者情報と一致しているか否かを会計時にオペレータが確認した上で、会計対象患者に記録メディアＭを手渡すことができるので、記録メディアＭに記録された医用画像データと患者との整合性を確保することができる。
【００４６】
（医事会計端末１の動作の変形例）
第１の実施の形態においては、記録メディアＭに記録された医用画像データの付帯情報に含まれる患者情報の予め定められた項目の情報と、会計のために患者情報ＤＢ１５１から読み出した患者情報の対応する項目の情報との比較照合を行ったが、これらの情報と、記録メディアＭの表面に印刷された二次元コードの情報とを更に照合するようにしてもよい。
【００４７】
例えば、図４の会計時処理において、ステップＳ５の後、読取手段としての二次元コードリーダ１７により記録メディアＭの表面に印刷された二次元コードを読み取り、二次元コードの情報を取得する。そして、ステップＳ６において、記録メディアＭから読み出した患者情報の予め定められた項目の情報と、会計のために患者情報ＤＢ１５１から読み出した患者情報の対応する項目の情報と、二次元コードリーダ１７で読み取った情報の対応する項目の情報とを比較照合し、ステップＳ７において、比較照合結果を表示部１３に表示する。
【００４８】
このようにすれば、記録メディアＭの医用画像データの患者情報を二重にチェックすることができ、チェック強度を高めることができる。また、記録メディアＭに記録された医用画像データの患者情報と表面の二次元コードが示す患者情報との不一致も防止することができる。
【００４９】
〔第２の実施の形態〕
以下、図を参照して本発明の第２の実施の形態について説明する。
【００５０】
（医用情報システム１００の構成）
まず、第２の実施の形態の構成について説明する。
図５に、本発明の第２の実施の形態における医用情報システム１００の全体構成を示す。図５に示すように、第２の実施の形態においては、病院Ａにおいて医事会計端末１と画像サーバ２とがＬＡＮ等の通信ネットワークＮを介してデータ送受信可能に接続されており、医用情報システム１００を構成している。
【００５１】
なお、第２の実施の形態において、医事会計端末１の記憶部１５は、画像サーバ２から受信したイメージファイルを格納するための受信イメージファイル記憶部を有している。その他の医事会計端末１の機能構成は、図２を参照して説明したものと略同様であるので説明を省略する。また、画像サーバ２は、図３を参照して説明したのと略同様であるので説明を省略する。
【００５２】
（病院Ａにおける処理の流れ）
次に、第２の実施の形態における患者の来院から患者に記録メディアＭを提供するまでの処理の流れを説明する。
第２の実施の形態における上記処理の流れは、上述の第１の実施の形態で説明したものと（６）〜（８）の手順が異なる。第２の実施の形態においては、患者の医用画像データを画像サーバ２から通信ネットワークＮを介して医事会計端末１に送信し、医事会計端末１において受信した医用画像データの付帯情報に含まれる患者情報と患者情報ＤＢ１５１の会計対象患者の患者情報との比較照合を行い、両者が一致した場合に、医事会計端末１において記録メディアＭに医用画像データを書き込む。また、記録メディアＭの作成が必要な患者については、診察、検査、診断等の内容（カルテや処方箋等）を会計に引き渡す際にその旨が会計のオペレータに通知される。
【００５３】
（医用情報システム１００の動作）
次に、第２の実施の形態における動作について説明する。
図６に、画像サーバ２と医事会計端末１の間で実行される医用画像データ送受信処理のフローを示す。
画像サーバ２側の処理は、図３の制御部２１により実行される。医事会計端末１側の処理は、図２の制御部１１により実行される。
【００５４】
指定手段としての操作部２２により医事会計端末１に送信する医用画像データが指定されると（ステップＳ１０１）、指定された医用画像データが医用画像ＤＢ２５１において検索され、読み出される（ステップＳ１０２）。
【００５５】
次いで、イメージファイル変換プログラムが読み出され、送信対象の医用画像データがイメージファイルに変換される（ステップＳ１０３：変換手段）。イメージファイルは、医用画像データを記録メディアＭに書き込む際のイメージファイルであり、例えば、Ｉｎｓｔａｎｔ  ＣＤ／ＤＶＤイメージ等に変換される。変換されたイメージファイルは、送信手段としての通信部２４により医事会計端末１に送信される（ステップＳ１０４）。
【００５６】
医事会計端末１においては、受信手段としての通信部１４によりイメージファイルが受信されると（ステップＳ１０５）、受信されたイメージファイルが受信イメージファイル記憶部に記憶される（ステップＳ１０６）。そして、本処理は終了する。
【００５７】
次に、第２の実施の形態において、操作部１２からの指示に応じて医事会計端末１の制御部１１により実行される会計時処理（会計時処理Ｂとする）について説明する。
図７に、会計時処理Ｂのフローを示す。
【００５８】
まず、表示部１３に会計対象患者の患者ＩＤの入力画面が表示され、操作部１２により患者ＩＤが入力されると（ステップＳ２１）、入力された患者ＩＤと一致する患者情報が患者情報ＤＢ１５１において検索され、読み出される（ステップＳ２２：検索手段）。読み出された患者情報は、表示部１３に表示されることが好ましい。
【００５９】
次いで、表示部１３に記録メディアを作成するか否かの指示を入力するための入力画面が表示され、操作部１２により「記録メディア作成」の指示が入力されると（ステップＳ２３；ＹＥＳ）、処理はステップＳ２４に移行する。操作部１２により「記録メディア作成なし」の指示が入力されると（ステップＳ２３；ＮＯ）、処理はステップＳ３３に移行する。
【００６０】
ステップＳ２４においては、記憶部１５の受信イメージファイル記憶部が参照され、画像サーバ２から受信されたイメージファイルがあるか否かが判断される。受信されたイメージファイルがあると判断されると（ステップＳ２４；ＹＥＳ）、処理はステップＳ２５に移行する。受信されたイメージファイルがないと判断されると（ステップＳ２４；ＮＯ）、処理はステップＳ２９に移行する。
【００６１】
ステップＳ２５においては、受信イメージファイル記憶部に記憶されているイメージファイルから患者情報が読み出される。次いで、イメージファイルから読み出された患者情報の予め定められた項目（例えば、患者ＩＤ、患者氏名、性別、生年月日等）の情報と、患者情報ＤＢ１５１から読み出された患者情報の対応する項目（項目名が一致する項目）の情報がそれぞれ比較照合される（ステップＳ２６：比較照合手段）。
【００６２】
比較の結果、一致しない項目があった場合（ステップＳ２７；ＮＯ）、受信イメージファイル記憶部の全てのイメージファイルについて比較照合が終了したか否かが判断され、終了していないと判断されると（ステップＳ２８；ＮＯ）、処理はステップＳ２５に戻り、比較照合の対象となっていないイメージファイルについてステップＳ２５以降の処理が実行される。受信イメージファイル記憶部の全てのイメージファイルについて比較照合が終了したと判断されると（ステップＳ２８；ＹＥＳ）、処理はステップＳ２９に移行する。
【００６３】
ステップＳ２９においては、表示部１３に、該当するイメージファイル、即ち、会計対象患者の患者情報と一致するイメージファイルがないことを示す通知が表示される。次いで、会計処理へ移行するか否かを問い合わせる画面が表示され、操作部１２により会計処理へ移行する指示が入力されると（ステップＳ３０；ＹＥＳ）、処理はステップＳ３３に移行する。一方、操作部１２により会計処理への移行をキャンセルする指示が入力されると（ステップＳ３０；ＮＯ）、本処理は終了する。会計処理への移行をキャンセルすることで、例えば、再度診察室の医師等に会計対象の患者の医用画像データを送信したか否かを問い合わせたり、送信した医用画像データの内容の確認及び確認後の医用画像データの再送信等を依頼したりすることができる。そして、診察室の医師等への確認後、会計時処理を再度実行することができる。
【００６４】
一方、ステップＳ２６における比較照合の結果、イメージファイルから読み出された患者情報の予め定められた項目の情報と、患者情報ＤＢ１５１から読み出された患者情報の対応する項目の情報が一致した場合（ステップＳ２７；ＹＥＳ）、書き込み手段としてのメディアドライブ１６により当該イメージファイルが記録メディアＭに書き込まれ（ステップＳ３１）、書き込まれたイメージファイルが受信イメージファイル記憶部から削除される（ステップＳ３２）。そして、ステップＳ３３に移行する。
【００６５】
ステップＳ３３においては、会計処理が実行される。即ち、会計対象患者に関連して実施した診察、検査、診断等の内容の入力画面が表示部１３に表示され、操作部１２により入力画面から入力された内容及びステップＳ２２において患者情報ＤＢ１５１から読み出された情報に従って、会計計算、領収証、処方箋等の発行を含む会計処理が実行される。会計処理が終了すると、本処理は終了する。
【００６６】
以上説明したように、第２の実施の形態における医用情報システム１００によれば、記録メディアＭに書き込んで患者に渡すべき医用画像データをイメージファイルで画像サーバ２から医事会計端末１に送信する。医事会計端末１においては、受信されたイメージファイルにおいて医用画像データの付帯情報に含まれる患者情報の予め定められた項目の情報と、会計対象患者について患者情報ＤＢ１５１から読み出した患者情報の対応する項目の情報との比較照合を行い、両者が一致した場合に、メディアドライブ１６によりイメージファイルを記録メディアＭに書き込む。
【００６７】
従って、会計対象の患者に対し、会計時に、その患者の患者情報と一致する患者情報を含む医用画像データを記録メディアＭに書き込んで渡すことができるので、記録メディアＭに記録された医用画像データと患者との整合性を確保することができる。また、記録メディアＭを患者に手渡す前に施設内で移送する必要がないので、記録メディアＭの施設内での移送時の記録メディアＭの紛失等を防止することができる。更に、イメージファイルの患者情報と会計対象患者の患者情報が一致しない場合は記録メディアＭへの書き込みは行わないので、記録メディアＭの無駄を防止することが可能となる。
【００６８】
また、画像サーバ２側で医用画像データを予めイメージファイルに変換して医事会計端末１に送信することで、会計時における記録メディアＭへの医用画像データの書き込みに係る処理を迅速に行うことが可能となる。
【００６９】
以上、本発明の第１及び第２の実施の形態について説明したが、上記各実施の形態における記述は、本発明の好適な一例であり、これに限定されるものではない。
【００７０】
また、医事会計端末１、画像サーバ２の細部構成及び細部動作に関しても本発明の趣旨を逸脱することのない範囲で適宜変更可能である。
【図面の簡単な説明】
【００７１】
【図１】本発明の第１の実施の形態における医療施設間の記録メディアを用いた画像連携を模式的に示す図である。
【図２】本発明の実施の形態における医事会計端末の機能的構成を示すブロック図である。
【図３】本発明の実施の形態における画像サーバの機能的構成を示すブロック図である。
【図４】図２の制御部により実行される会計時処理を示すフローチャートである。
【図５】本発明の第２の実施の形態における医用情報システムの全体構成を示す図である。
【図６】図５の画像サーバと医事会計端末の間で実行される医用画像データ送受信処理を示すフロー図である。
【図７】図５の医事会計端末の制御部により実行される会計時処理Ｂを示すフローチャートである。
【符号の説明】
【００７２】
１  医事会計端末
１１  制御部
１２  操作部
１３  表示部
１４  通信部
１５  記憶部
１５１  患者情報ＤＢ
１６  メディアドライブ
１７  二次元コードリーダ
１８  プリンタ
１９  バス
２  画像サーバ 
２１  制御部
２２  操作部
２３  表示部
２４  通信部
２５  記憶部
２５１  医用画像ＤＢ
２６  メディアドライブ
２７  プリンタ
２８  バス
１００  医用情報システム
Ｍ  記録メディア
Ｎ  通信ネットワーク
【図１】
2009020586.tif 000003
【図２】
2009020586.tif 000004
【図３】
2009020586.tif 000005
【図４】
2009020586.tif 000006
【図５】
2009020586.tif 000007
【図６】
2009020586.tif 000008
【図７】
2009020586.tif 000009